(57)【要約】【課題】  指針を光輝させることができ、且つ、組付け性が良好な指針式計器装置を提供する。【解決手段】  表示パネル２は、車両情報を表示する。指針４は、表示パネル２の前面側に設けられる。発光素子５は、指針４を照明する。回路基板７は、発光素子５を駆動する駆動回路が実装される。第一配線部材９ａは、一端部が発光素子５に接続され、他端部に第一接続部１２ａが設けられる。第二配線部材９ｂは、一端部が回路基板７に接続され、他端部に第二接続部１２ｂが設けられる。第一接続部１２ａと第二接続部１２ｂとを電気的に接続する。第一接続部１２ａと第二接続部１２ｂとを螺子１０にて圧着させる。第一接続部１２ａと第二接続部１２ｂの間に、導電性接着剤１１を配設する。【選択図】  図１
2011017583.tif 000002
【特許請求の範囲】
【請求項１】
車両情報を表示する表示パネルと、前記表示パネルの前面側に設けられた指針と、を備えた指針式計器装置であって、
前記指針を照明する発光素子と、前記発光素子を駆動する駆動回路が実装された回路基板と、一端部が前記発光素子に接続され他端部に第一接続部が設けられた第一配線部材と、一端部が前記回路基板に接続され他端部に第二接続部が設けられた第二配線部材と、を備え、前記第一接続部と前記第二接続部とを電気的に接続してなることを特徴とする指針式計器装置。
【請求項２】
前記第一接続部と前記第二接続部とを螺子にて圧着させてなることを特徴とする請求項１に記載の指針式計器装置。
【請求項３】
前記第一接続部と前記第二接続部の間に導電性接着剤を配設してなることを特徴とする請求項１に記載の指針式計器装置。
【請求項４】
前記第一接続部は２次コイルからなり、前記第二接続部は前記２次コイルに対向する１次コイルからなることを特徴とする請求項１に記載の指針式計器装置。
【発明の詳細な説明】
【技術分野】
【０００１】
本発明は、車両情報を表示する表示パネルを備えた指針式計器装置に関するものである。
【背景技術】
【０００２】
従来より、液晶表示パネル等の表示パネルを備えた計器装置が種々提案されており、例えば特許文献１に開示されている。斯かる計器装置は、液晶表示パネルの前面側に透光性材質からなる装飾リングを配置し、液晶表示パネルの画面から出射される光により装飾リングを透過照明するものである。この計器装置は、装飾リングが液晶表示パネルの画面よりも車両運転者側に突出しているため、液晶表示パネルの画面が立体的に視認され、立体感が強調され且つ斬新な見映えになる。また、表示パネルを備えると共に、所定の情報に基づいて指針を回動させる指針式計器装置が提案され、特許文献２に開示されている。斯かる指針式計器装置においては、前記指針を光輝させることにより、デザイン性を向上させることが望まれている。
【先行技術文献】
【特許文献】
【０００３】
【特許文献１】特開２００６−２０１０３８号公報
【特許文献２】独国特許出願公開第１０３３１１３１号明細書
【発明の概要】
【発明が解決しようとする課題】
【０００４】
しかしながら、指針を照明する発光素子に電力を供給する配線は、表示パネル等の部材を跨いで、駆動回路を搭載した回路基板から前記発光素子まで引き回す必要があり、必ずしも組付け性が良好ではないという問題を有していた。
本発明は、この問題に鑑みなされたものであり、指針を光輝させることができ、且つ、組付け性が良好な指針式計器装置を提供するものである。
【課題を解決するための手段】
【０００５】
本発明は、車両情報を表示する表示パネル２と、前記表示パネル２の前面側に設けられた指針４と、を備えた指針式計器装置１であって、前記指針４を照明する発光素子５と、前記発光素子５を駆動する駆動回路が実装された回路基板７と、一端部が前記発光素子５に接続され他端部に第一接続部１２ａ，１４ｂが設けられた第一配線部材９ａと、一端部が前記回路基板７に接続され他端部に第二接続部１２ｂ，１４ａが設けられた第二配線部材９ｂと、を備え、前記第一接続部１２ａ，１４ｂと前記第二接続部１２ｂ，１４ａとを電気的に接続してなるものである。
【０００６】
また、本発明は、前記第一接続部１２ａ，１４ｂと前記第二接続部１２ｂ，１４ａとを螺子１０にて圧着させてなるものである。
【０００７】
また、本発明は、前記第一接続部１２ａ，１４ｂと前記第二接続部１２ｂ，１４ａの間に導電性接着剤１１を配設してなるものである。
【０００８】
また、本発明は、前記第一接続部１４ｂは２次コイルからなり、前記第二接続部１４ａは前記２次コイルに対向する１次コイルからなるものである。
【発明の効果】
【０００９】
発光素子にて指針を光輝させることができ、且つ、第一接続部及び第二接続部にて第一配線部材と第二配線部材とを電気的に接続することができ、組付け性が良好である。
【図面の簡単な説明】
【００１０】
【図１】本発明の実施形態を示す正面図。
【図２】同上実施形態を示す断面図。
【図３】同上実施形態を示す分解斜視図。
【図４】本発明の第二実施形態を示す分解斜視図。
【図５】本発明の他の実施形態を示す正面図。
【発明を実施するための形態】
【００１１】
以下、添付の図面に基づいて、本発明の一実施形態である指針式計器装置１について説明する。図１乃至図３は第一実施形態を示すものである。
指針式計器装置１は、車両のダッシュボードに搭載されるコンビネーションメータからなるものであり、液晶表示パネル２，支持板３，指針４，発光素子５，指針駆動機構６，回路基板７等から構成されている。
【００１２】
液晶表示パネル２は、例えばＴＦＴ型液晶表示器からなるものであり、目盛り２ａ，数字２ｂや、様々な車両情報（外気温情報，走行距離情報，燃費情報，ナビゲーション情報，交通情報）を表示する。支持板３は、透光性樹脂からなるものであり、液晶表示パネル２の前面側に配設され、後述する第一配線部材を支持している。指針４は、指針駆動機構６により回動され、液晶表示パネル２に表示された目盛り２ａ，数字２ｂを指示する。発光素子５は、発光ダイオードからなるものであり、指針３を光輝させる。
【００１３】
指針駆動機構６は、指針駆動モータ６ａ，第一磁石６ｂ及び第二磁石６ｃから構成され、磁気カップリング方式で指針４を回動させる。指針駆動モータ６ａは、回動軸を有しており、回路基板７に実装されている。第一磁石６ｂは、指針駆動モータ６ａの回動軸に装着され、指針駆動モータ６ａの回動軸と共に回動する。第二磁石６ｃは、指針軸に装着され、第一磁石６ｂと磁気的に結合し、第一磁石６ｂと共に回動する。回路基板７には、発光素子５を駆動する駆動回路が搭載されている。
【００１４】
支持体８には、表示パネル２及び回路基板７が固定されている。配線部材９は、ＦＰＣ（Flexible Printed Circuit）からなるものであり、第一配線部材９ａと第二配線部材９ｂとを有している。第一配線部材９ａの一端部には発光素子５が実装され、この発光素子５に通電することにより指針４を照明することができる。第一配線部材９ａの他端部には、銅箔ランドからなる第一接続部１２ａが設けられている。第二配線部材９ｂの一端部は回路基板７と電気的に接続されている。第二配線部材９ｂの他端部には、銅箔ランドからなる第二接続部１２ｂが設けられている。接続部１２は、第一接続部１２ａと第二接続部１２ｂとからなるものである。
【００１５】
螺子１０は、締め付けることにより、支持板３と支持体８を固定すると共に、第一接続部１２ａ及び第二接続部１２ｂと導電性接着剤１１とを圧着し、導電性を高める。導電性接着剤１１は、固着を担う樹脂と、導電を担う金属（導電性フィラー）を混合したものからなり、第一接続部１２ａと第二接続部１２ｂとの間に配設することで、第一接続部１２ａと第二接続部１２ｂとの螺子１０による固定及び導電性確保を補助する。
【００１６】
図４は第二実施形態を示す図である。第二実施形態は、接続部１４が異なるのみであり、他の構成は第一実施形態と同様である。
第一配線部材９ａの一端部には発光素子５が実装され、第一配線部材９ａの他端部には、２次コイルからなる第一接続部１４ｂが設けられている。第二配線部材９ｂの一端部は回路基板７と電気的に接続されており、第二配線部材９ｂの他端部には、１次コイルからなる第二接続部１４ａが設けられている。接続部１４は、第一接続部１４ｂと、この第一接続部１４ｂに対向配置された第二接続部１４ａとからなるものである。スペーサ１３は、支持板３と支持体８の間に挿入され、螺子１０にて固定されている。
【００１７】
第一，第二実施形態によれば、配線部材９に設けられた接続部１２，１４にて回路基板７と発光素子５を電気的に接続し、発光素子５にて指針４を光輝させることができる。なお、本発明は、第一，第二実施形態に限定されるものではなく、種々の変形が可能であり、例えば、図５に示す他の実施形態のように、第一配線部材９ａを上部から迂回させるように配設しても良い。
【符号の説明】
【００１８】
１  指針式計器装置
２  表示パネル
４  指針
５  発光素子
７  回路基板
９ａ  第一配線部材
９ｂ  第二配線部材
１０  螺子１０
１２ａ  第一接続部
１２ｂ  第二接続部
１４ｂ  第一接続部
１４ａ  第二接続部
【図１】
2011017583.tif 000003
【図２】
2011017583.tif 000004
【図３】
2011017583.tif 000005
【図４】
2011017583.tif 000006
【図５】
2011017583.tif 000007